(57)【要約】
【課題】本考案は、使用場所の雰囲気に応じて外観体裁をアクセントを付けて変更でき、また吊下げ態様を変更でき、筆記具の載置安定性も十分なホワイトボードを提供する。
【解決手段】本考案のホワイトボードは、直方体形状のボード本体２と、ボード本体２の４辺に各々装着する４個のフレーム５，６と、４個のフレーム５，６における各々の隣り合う端部間に、各フレーム５，６と連続的に連なるように装着する４個のコーナー部材１０と、４個のコーナー部材１０の角隅部に設けたキャップ受部に各々装着する色変更可能なコーナーキャップ２０と、下辺側に位置するフレーム５に裏面側から装着する筆記具用の波打ち形状のトレー３０と、各構成部品を装着したボード本体２を複数態様で、且つ、横長又は縦長のいずれかの状態で吊り下げる吊り機構とを有するものである。
【選択図】図１
0003099823.tif 000002
【実用新案登録請求の範囲】
【請求項１】
　直方体形状のボード本体と、
ボード本体の４辺に各々装着する４個のフレームと、
４個のフレームにおける各々の隣り合う端部間に、各フレームと連続的に連なるように装着する４個のコーナー部材と、
　４個のコーナー部材の角隅部に設けたキャップ受部に各々装着する色変更可能なコーナーキャップと、
　下辺側に位置するフレームに裏面側から装着する筆記具用の波打ち形状のトレーと、
　前記各構成部品を装着したボード本体を複数態様で、且つ、横長又は縦長のいずれかの状態で吊り下げる吊り機構と、
　を有することを特徴とするホワイトボード。
【請求項２】
　前記コーナーキャップは、各々白色、ピンク色、青色の３色に色分けされた４個ずつのコーナーキャップからなることを特徴とする請求項１記載のホワイトボード。
【請求項３】
　前記トレーは、筆記具の転動を防止する凹部を含む波打ち形状に形成されていることを特徴とする請求項１又は２記載のホワイトボード。
【請求項４】
　前記トレーは、垂直片を有し、この垂直片には、前記フレームに設けられた装着受溝に背面側から装着するための溝付円柱片を突設し、該トレーを下辺側に位置するフレームの裏面側から装着脱するようにしたことを特徴とする請求項１乃至３のいずれかに記載のホワイトボード。
【請求項５】
　前記吊り機構によるボード本体の吊り下げは、前記上辺両隅の各コーナー部材に設けた吊り穴へ両端を各々挿通しコブ作りした吊り紐による吊り下げ、上辺側に位置するコーナー部材に裏面側からスライド可能に装着する壁面固定ねじに引っかけ可能な一対の吊り金具による吊り下げ、又は前記コーナー部材に設けた壁面固定ねじに引っかけ可能な吊り穴によるボード本体直接吊りのいずれかの態様であることを特徴とする請求項１乃至４のいずれかに記載のホワイトボード。
【請求項６】
　前記ボード本体は、前記吊り機構により長辺を横方向とする横吊り、長辺を縦方向とする縦吊りが選択可能であることを特徴とする請求項１乃至５のいずれかに記載のホワイトボード。
【考案の詳細な説明】
【技術分野】
【０００１】
　本考案は、文字、図形等をボード面に書き込むホワイトボードに関するものである。
【背景技術】
【０００２】
　従来、各種のホワイトボードが提案され実用に供されている。
　例えば、特許文献１には、ボード本体の外周部の枠フレームに掛け部材を取り付け、スタンド等を用いることなくボード本体をキャビネット等に起立状態で掛け止めるようにしたボード類支持構造が開示されている。
【０００３】
　また、特許文献２には、ボード本体の裏側に磁石ホルダを介して磁石を取り付けて、湾曲した壁面に対してもボード本体を取り付け可能としたホワイトボードが開示されている。
【０００４】
　しかし、特許文献１、２等に開示されたものは、いずれも壁面への取り付けを主体としたものであり、壁面への取り付け、筆記具の載置状態、使用場所の雰囲気等への配慮等を総合的に勘案したホワイトボードに関する考案は存在しないのが実情である。
【特許文献１】特開２００３−０８９２９５号公報
【特許文献２】特開２００１−１０５７８７号公報
【考案の開示】
【考案が解決しようとする課題】
【０００５】
　従来のホワイトボードを解決しようとする問題点は、使用場所の雰囲気に応じて外観体裁を変更できない点、ボード本体の吊下げ態様を変更できない点、及びボード面の方向を変えることが難しい点、筆記具の載置安定性が十分でない点である。
【課題を解決するための手段】
【０００６】
　本考案は、直方体形状のボード本体と、ボード本体の４辺に各々装着する４個のフレームと、４個のフレームにおける各々の隣り合う端部間に、各フレームと連続的に連なるように装着する４個のコーナー部材と、４個のコーナー部材の角隅部に設けたキャップ受部に各々装着する色変更可能なコーナーキャップと、下辺側に位置するフレームに裏面側から装着脱する筆記具用の波打ち形状のトレーと、前記各構成部品を装着したボード本体を複数態様で、且つ、横長又は縦長のいずれかの状態で吊り下げる吊り機構と、を有することを最も主要な特徴とする。
【考案の効果】
【０００７】
　本考案によれば、コーナーキャップの色変更により使用場所の雰囲気に応じて外観体裁をアクセントを付けて変更でき、吊り機構による吊り方を変えることで使用場所に対応して吊下げ態様を選択でき、更に吊り機構により記載内容に応じてボード面の方向を変える横吊り又は縦吊りが任意に選択可能であり、更に波打ち形状としたトレーによって筆記具の載置安定性があるホワイトボードを提供することができる。
【考案を実施するための最良の形態】
【０００８】
　外観体裁の変更、ボード本体の吊下げ態様、吊下げ方向の多様化、筆記具の載置安定性の向上という目的を、色変更可能なコーナーキャップの採用、ボード本体を複数態様で、且つ、横長又は縦長のいずれかの状態で吊り下げる吊り機構の採用及び波打ち形状のトレーの採用により実現した。
【実施例】
【０００９】
　以下に本考案の実施例を詳細に説明する。
　図１乃至図３は、本実施例に係るホワイトボード１の全体構成を示すものであり、このホワイトボード１は、例えば薄型直方体形状のボード本体２と、ボード本体２の図１における上下、左右の４辺に各々装着する４個のフレーム５，５及びフレーム６，６と、４個のフレーム５，５、フレーム６，６における各々の隣り合う端部間に、各フレーム５，５、フレーム６，６と連続的に連なるように装着する４個のコーナー部材１０と、４個のコーナー部材１０の角隅部に設けた図５に示すキャップ受部１１に各々装着する色変更可能に構成したコーナーキャップ２０と、図１において下辺側に位置するフレーム５に裏面側から装着脱する筆記具６０（図２参照）用のトレー３０と、前記各構成部品を装着したボード本体２を吊り下げる吊り機構の一つとしての一対の吊り金具４０とを有している。
【００１０】
　薄型直方体形状のボード本体２は、図４等に示すように、薄型直方体形状のＰＳ抽出芯材３の一面に、表面材としてＰＳ抽出芯材３より一回り小寸法のスチールホワイト４を積層固定した構造となっている。
　すなわち、図４に示すように、ＰＳ抽出芯材３の寸法をＷ１、Ｈ１、スチールホワイト４の寸法をＷ２、Ｈ２とすると、Ｗ１＞Ｗ２、Ｈ１＞Ｈ２となっている。
【００１１】
　なお、大型サイズのホワイトボードの場合、例えば、前記ＰＳ抽出芯材３とスチールホワイト４とは接着剤による接着又は両面テープによる貼り付け等で固定する。
【００１２】
　前記フレーム５は、図３に示すように、合成樹脂材を素材とし、表面が弧状に形成されているとともに、一端側に断面コ状に開口したボード本体装着部５ａを有し、他端側の裏面に長さ方向に沿って前記吊り金具４０及び後記部材本体１０ａの装着突片１６（図５参照）を装着するための装着受溝５ｂを有している。
　前記フレーム６も長さがフレーム５と異なることを除き、フレーム５と同様な構造となっている。
【００１３】
　図５乃至図９はコーナー部材１０を示すものであり、このコーナー部材１０は、前記フレーム５と同様な材料により９０度屈曲形状に形成した部材本体１０ａを具備し、この部材本体１０ａの角隅部にコーナーキャップ２０を着脱可能に、且つ、面一に装着するためのキャップ受部１１を設けている。
　キャップ受部１１には、前記コーナーキャップ２０装着用の２個の受角穴１２、コーナーキャップ２０用の受け段部１３、吊り機構を構成する吊り穴１４を設けている。
【００１４】
　また、前記部材本体１０ａの両突出端には、各々前記フレーム５，６の端部に装着するための装着突片１６を設けている。装着突片１６は、それ自体前記フレーム５の他端側の装着受溝５ｂの内部に挿入されるとともに、図９に示すように、装着受溝５ｂに弾力的に係合する一対構成の弾性突部１７、１７を備えている。
【００１５】
　図１０乃至図１３は、コーナーキャップ２０を示すものであり、本実施例では、例えば、合成樹脂材を用い、白色、ピンク色、青色の３色に色分けされた４個ずつのコーナーキャップ２０からなる合計３組構成としている。
　このコーナーキャップ２０は、前記コーナー部材１０のキャップ受部１１に着脱可能に、且つ、面一となるように装着されるものであり、表面形状は略　形状で、且つ、コーナー部材１０表面の曲面に応じた曲面を呈するように形成している。また、コーナーキャップ２０は、図１１、図１２に示すように、裏面に一対の挿入突片２１、２２を突出させるとともに、挿入方向を示す矢印２３を刻印している。
【００１６】
　前記挿入突片２１には、引っ掛け係合用の段部２１ａが形成され、図１３に示すように、前記コーナー部材１０のキャップ受部１１における２個の受角穴１２にコーナーキャップ２０を装着したとき、前記段部２１ａを受角穴１２の壁面に弾力的に係合させてこのコーナーキャップ２０の抜け止め防止、及び取り外しり便宜を図っている。
【００１７】
　図１４は、前記トレー３０を示すものであり、トレー３０は、例えば、合成樹脂材を用い、側面形状が全体として略Ｌ状を呈する垂直片３１、水平片３２の一体構造であり、水平片３２側の形状は、筆記具６０の転動を防止する凹部３３を含む波打ち形状としている。凹部３３は例えば筆記具６０の外径に略等しい弧状凹部とし、これにより筆記具６０を安定して保持し転動を防止するようになっている。
【００１８】
　前記垂直片３１には、フレーム５の装着受溝５ｂに背面側から装着脱するための溝付円柱片３４を突設している。
【００１９】
　図１５は、吊り機構を構成する前記吊り金具４０を示すものであり、この吊り金具４０は、上端側を半円状とした略長方形状に形成され、また上部側に鍵穴状の吊り穴部４１を設け、下部側にフレーム５の装着受溝５ｂに装着するための円柱片４２を突設している。
　そして、前記フレーム５の背面側から一対の吊り金具４０の円柱片４２を装着受溝５ｂに押し込むようにして、各々フレーム５に対してスライド可能に装着し、図１６に示すように、壁面４６に取り付けた一対の受けねじ４５に前記吊り穴部４１を引っ掛けることで、ボード本体２を壁面４６に対して吊り下げ可能としている。
【００２０】
　図１７乃至図１９は、本実施例に係る吊り機構の一つを構成する吊り紐５０を用いた場合のボード本体２の壁面４６からの吊り下げ状態を示すものである。
　この場合には、図１８、図１９に示すように、吊り紐５０の端部を前記吊り機構を構成するコーナー部材１０の背面側から吊り穴１４に挿入し、更に吊り紐５０の端部にコブ５０ａを作り、ワッシャ５１を介在させて、吊り紐５０の両端部を前記長辺両隅部のコーナー部材１０に各々取り付けるようにしている。これにより、壁面４６に取り付けた受けねじ４５に吊り紐５０にて保持したボード本体２を横吊りで吊り下げ可能としている。
【００２１】
　図２０は、本実施例に係る吊り機構の一つを構成するボード本体直接吊りの状態を示すものであり、図２１は、この場合の４個のコーナー部材１０に設けた吊り穴１４と、壁面４６に取り付けた４個の受けねじ４５との位置関係を示すものである。
　ボード本体直接吊りの場合には、壁面４６の４個の受けねじ４５の位置が、４個のコーナー部材１０の各吊り穴１４に対して図２１に示すようにいずれも上側を占めるように留意する必要がある。図２１に示すように、下側の２個の受けねじ４５が、同図に点線で示すように、吊り穴１４の下側とした場合には一旦取り付けたボード本体２を壁面から取り外すことができなくなるからである。
【００２２】
　図２２は、吊り機構によるボード本体２の長辺を縦方向とする縦吊りの状態を示すものであり、この場合には、図１７に示す場合と同様に、吊り紐５０の両端を短辺両隅のコーナー部材１０に取り付けることにり、縦吊りの状態を実現するものである。
【００２３】
　なお、吊り紐５０を使用する場合の他、前記吊り金具４０を使用してボード本体２を吊る場合、ボード本体直接吊りの場合にも、各々ボード本体２の縦吊りの状態を実現することができる。
【００２４】
　以上説明した本実施例によれば、コーナーキャップ２０を白色、ピンク色、青色の１組づつ色変更して使用することにより、例えば、会社内、事務所内、家庭内等、ホワイトボード１の使用場所の雰囲気に応じて外観体裁をアクセントを付けて変えることができる。
【００２５】
　また、吊り機構によりボード本体２の吊り方を合計３態様に変えることができ、オフィスの壁面、家庭の子供部屋等使用場所の状況に対応して吊下げ態様を任意に選択できる。
　更に、吊り機構により記載内容に応じてボード面の方向を変える横吊り又は縦吊りが任意に選択可能であることから、会議やミーティング用、図面や絵描き用等、用途に応じた多様な使い分が可能となる。
【００２６】
　更に、前記トレー３０を、波打ち形状としたことにより、筆記具６０の載置安定性があるホワイトボード１を提供することができる。
【００２７】
　なお、本実施例に係るホワイトボード１は、上述した他、磁石付きのイレーサを備えている。
【産業上の利用可能性】
【００２８】
　本考案は、上述したようなホワイトボードに適用する他、ボード状、板状の物品を壁面等で吊り下げる用途に適用可能である。
【図面の簡単な説明】
【００２９】
【図１】本考案の実施例に係るホワイトボードを示す正面図である。
【図２】図１のＡ−Ａ線拡大断面図である。
【図３】図１のＢ−Ｂ線拡大断面図である。
【図４】本考案の実施例に係るホワイトボードのボード本体の正面図である。
【図５】本考案の実施例に係るホワイトボードのコーナー部材の平面図である。
【図６】本考案の実施例に係るホワイトボードのコーナー部材の右側面図である。
【図７】本考案の実施例に係るホワイトボードのコーナー部材の底面図である。
【図８】図５のＤ−Ｄ線拡大断面図である。
【図９】図５のＥ−Ｅ線拡大断面図である。
【図１０】本考案の実施例に係るホワイトボードのコーナーキャップの平面図である。
【図１１】本考案の実施例に係るホワイトボードのコーナーキャップの側面図である。
【図１２】本考案の実施例に係るホワイトボードのコーナーキャップの底面図である。
【図１３】本考案の実施例に係るホワイトボードのコーナーキャップのコーナー部材への装着状態を示す概略図である。
【図１４】本考案の実施例に係るホワイトボードのトレーの概略平面図である。
【図１５】本実施例に係る吊り金具の平面図である。
【図１６】本実施例に係る吊り金具を用いたボード本体の吊り下げ状態の斜視図である。
【図１７】本実施例に係る吊り紐を用いたボード本体の吊り下げ状態の斜視図である。
【図１８】本実施例に係る吊り紐のコーナー部材への挿入状態を示す斜視図である。
【図１９】本実施例に係る吊り紐の端部に作るコブを示す斜視図である。
【図２０】本実施例に係る吊り機構の一つを構成するボード本体直接吊りの状態を示す斜視図である。
【図２１】本実施例に係るボード本体直接吊りの場合の吊り穴と、壁面に取り付けた４個の受けねじとの位置関係を示す説明図である。
【図２２】本実施例に係る吊り機構によるボード本体の長辺を縦方向とする縦吊りの状態を示す斜視図である。
【符号の説明】
【００３０】
　　１　　ホワイトボード
　　２　　ボード本体
　　３　　ＰＳ抽出芯材
　　４　　スチールホワイト
　　５　　フレーム
　　５ａ　ボード本体装着部
　　５ｂ　装着受溝
　　６　　フレーム
　１０　　コーナー部材
　１０ａ　部材本体
　１１　　キャップ受部
　１２　　受角穴
　１３　　受け段部
　１４　　吊り穴
　１６　　装着突片
　１７　　弾性突部
　２０　　コーナーキャップ
　２１、２２　挿入突片
　２１ａ　段部
　２３　　矢印
　３０　　トレー
　３１　　垂直片
　３２　　水平片
　３３　　凹部
　３４　　溝付円柱片
　４０　　吊り金具
　４１　　吊り穴部
　４２　　円柱片
　４５　　受けねじ
　４６　　壁面
　５０　　吊り紐
　５０ａ　コブ
　５１　　ワッシャ
　６０　　筆記具
【図１】
0003099823.tif 000003
【図２】
0003099823.tif 000004
【図３】
0003099823.tif 000005
【図４】
0003099823.tif 000006
【図５】
0003099823.tif 000007
【図６】
0003099823.tif 000008
【図７】
0003099823.tif 000009
【図８】
0003099823.tif 000010
【図９】
0003099823.tif 000011
【図１０】
0003099823.tif 000012
【図１１】
0003099823.tif 000013
【図１２】
0003099823.tif 000014
【図１３】
0003099823.tif 000015
【図１４】
0003099823.tif 000016
【図１５】
0003099823.tif 000017
【図１６】
0003099823.tif 000018
【図１７】
0003099823.tif 000019
【図１８】
0003099823.tif 000020
【図１９】
0003099823.tif 000021
【図２０】
0003099823.tif 000022
【図２１】
0003099823.tif 000023
【図２２】
0003099823.tif 000024